(57)【要約】【課題】管部材の管端にリング状目地を面一に取り付ける作業を迅速に行えて構成が簡単な取付装置を提供する【解決手段】昇降台３が出没昇降する円筒孔５と、円筒孔内で昇降台の昇降を案内する案内軸６と、リング状目地７の載置面８を円筒孔の周囲に有する固定台１とを備え、昇降台上に、案内軸に形成したテーパー部９に押されて円周方向へスライドしてリング状目地を押し拡げるとともに戻しばね１５により案内軸方向へ押し戻される複数の円形分割体１０を設け、円形分割体の上方に、昇降台と共に昇降し且つ管部材１２の管端１３を受ける段部１４を備えた押え板１１を設け、昇降台をアクチュエータ４により昇降作動させた【選択図】図４
2008265261.tif 000002
【特許請求の範囲】
【請求項１】
昇降台が出没昇降する円筒孔と、該円筒孔内で昇降台の昇降を案内する案内軸と、リング状目地の載置面を該円筒孔の周囲に有する固定台とを備え、該昇降台上に、該案内軸に形成したテーパー部に押されて円周方向へスライドして該リング状目地を押し拡げるとともに戻しばねにより該案内軸方向へ押し戻される複数の円形分割体を設け、該円形分割体の上方に、該昇降台と共に昇降し且つ管部材の管端を受ける段部を備えた押え板を設け、該昇降台をエアシリンダー等のアクチュエータにより昇降作動させたことを特徴とするリング状目地の取付装置。
【請求項２】
上記円形分割体の夫々と案内軸のテーパー部との間に、角軸状ピースを着脱自在に介在させ、該角軸状ピースが該テーパー部と接触する部分を、該テーパー部のテーパー角に沿った傾斜面に形成したことを特徴とする請求項１に記載のリング状目地の取付装置。
【請求項３】
上記アクチュエータは、上記昇降台が人力等により多少押し下げられたとき降下作動の行程を行い、上記管部材の管端の周囲にリング状目地が対応した位置になったとき上昇作動の行程を行って原位置へ復帰することを特徴とする請求項１に記載のリング状目地の取付装置。
【請求項４】
上記アクチュエータと昇降台を連結する連杆の間に緩衝復帰ばねを介在させ、該昇降台が該緩衝復帰ばねを撓めて多少降下したとき該アクチュエータが降下作動の行程を行うことを特徴とする請求項３に記載のリング状目地の取付装置。
【発明の詳細な説明】
【技術分野】
【０００１】  本発明は、排水管などの管部材の管端に熱膨張性のリング状目地を取り付けする装置に関する。
【背景技術】
【０００２】  従来、排水管や給水管として、硬質塩化ビニール製の内管の外周を繊維混入モルタルの外管で被覆した構成を有する耐火二層管が知られており、これらを接続するための耐火二層管継手も知られている。【０００３】  こうした構成の耐火二層管を配管接続する場合、継ぎ目に耐火性を向上させるために熱膨張性の目地を設け、火災などで配管が加熱されたときに目地が膨張して管内を閉塞することで煙が内管を伝って拡がったり内管が延焼したりすることを防止するようにしている（特許文献１）。リング状目地は配管接続の施工時に各継ぎ目に手作業で取り付けてもよいが、接続部では内管同士が接着剤で接合されるので、目地の付け忘れが発見されても解体して再施工することが困難であるという問題があった。出願人は、この問題を解決する一手段として、図１に示したように、継手を構成する硬質塩化ビニール製の管部材１２の管端１３に熱膨張性のリング状目地７を管端１３と面一になるように嵌着し、これを図２に示したような射出成型機の分割金型２９にセットして外管を構成するモルタル３２を成型することでリング状目地を継手と一体に取り付けることを提案した。この継手を使用すると、配管施工時に目地の取り付けを省略でき、付け忘れも防止できる利点がある。【０００４】  熱膨張性のリング状目地は熱膨張剤を含むゴム質のもので弾力性はあまり大きくない。従来は図１に示したように、管端に面一に取り付ける作業を人手により行っていたが、目地の弾力性が乏しいため単純な作業の割には面倒で時間がかかり、多数の継手に取り付けるには多くの人手を要してコスト高になる不都合があった。枝管の数が多い継手の場合は更にコスト高になって好ましくない。
【特許文献１】特開２００３−１６１３９２号公報
【発明の開示】
【発明が解決しようとする課題】
【０００５】  本発明は、上記不都合を解消することを課題とするもので、管部材の管端にリング状目地を面一に取り付ける作業を迅速に行えて構成が簡単な取付装置を提供するものである。
【課題を解決するための手段】
【０００６】  本発明では、上記課題を解決すべく、昇降台が出没昇降する円筒孔と、該円筒孔内で昇降台の昇降を案内する案内軸と、リング状目地の載置面を該円筒孔の周囲に有する固定台とを備え、該昇降台上に、該案内軸に形成したテーパー部に押されて円周方向へスライドして該リング状目地を押し拡げるとともに戻しばねにより該案内軸方向へ押し戻される複数の円形分割体を設け、該円形分割体の上方に、該昇降台と共に昇降し且つ管部材の管端を受ける段部を備えた押え板を設け、該昇降台をエアシリンダー等のアクチュエータにより昇降作動させるようにした。
該リング状目地を昇降台の載置面に載せ、管部材の管端を押え板の段部に当ててアクチュエータに下降作動を行わせると、昇降台に設けた円形分割体が案内軸のテーパー部に沿ってリング状目地の内径を押し拡げながら下降し、その下降が進行すると該管端がリング状目地の円形穴内へ没入するようになる。そして円形穴内に完全に管端が進入すると、リング状目地はそれ自体の弾力性で管端の周囲に面一な状態で取り付き、次いでアクチュエータが上昇作動すると円形分割体は戻しばねにより案内軸方向に押し戻され、リング状目地が取り付いた管部材は原位置に戻り、これを昇降台から取り外すと図１に示したような加工品が得られる。【０００７】  該円形分割体の夫々と案内軸のテーパー部との間に、角軸状ピースを着脱自在に介在させ、該角軸状ピースが該テーパー部と接触する部分を、該テーパー部のテーパー角に沿った傾斜面に形成することで、保守が容易で部品が安価になり、さらには円形分割体に円滑な作動を行わせることができる。【０００８】  該アクチュエータは、該昇降台が人力等により多少押し下げられたとき降下作動の行程を行い、該管部材の管端の周囲にリング状目地が対応した位置になったとき上昇作動の行程を行って原位置へ復帰させるように動作することで、人手による安全な作業を行え、該アクチュエータと昇降台を連結する連杆の間に緩衝復帰ばねを介在させ、該昇降台が該緩衝復帰ばねを撓めて多少降下したとき該アクチュエータが降下作動の行程を行うようにすることで、上記作動を簡単な構成で実施できる。
【発明の効果】
【０００９】  本発明の取付装置は、円筒孔、案内軸およびリング状目地の載置面を備えた固定台と、該円筒孔内をアクチュエータにより出没昇降する昇降台を設け、該昇降台には案内軸のテーパー部と戻しばねによりスライドする円形分割体と押え板を設けた構成を有するもので、管部材の管端を押え板の段部に載せ、アクチュエータの作動で昇降台が固定台の円筒孔内へ出没することで円形分割体が弾力性の乏しいリング状目地をわずかに押し開き、その間に管部材が進入して管端の周囲に端面と面一な状態で目地を嵌着できるから、簡単な構成の装置で弾力性の乏しいリング状目地を管端に正確且つ迅速に取り付けできる。【００１０】  また、該円形分割体の夫々と案内軸のテーパー部との間に、角軸状ピースを着脱自在に介在させた構成とすることにより、昇降作動を繰り返しても主として該角軸状ピースと案内軸が摩耗するだけで済み、これらを交換する保守作業は押え板を取り外して簡単に行え、しかもこれらの部品は安価であるから保守コストも安くなる。この角軸状ピースが案内軸のテーパー部と接触する部分を、該テーパー部のテーパー角に沿った傾斜面に形成することで円形分割体に円滑な作動を行わせることができる。【００１１】  アクチュエータは、昇降台が人力等により多少押し下げられたとき降下作動するので手を挟むおそれもなく、管部材の管端の周囲にリング状目地が対応した位置となったとき上昇作動の行程を行って原位置へ復帰するように作動することで、人手で管部材を持って作業しても管部材の遊動が少なくなり、安全に目地の取り付け作業を行える。また、アクチュエータと昇降台を連結する連杆の間に緩衝復帰ばねを介在させておくことで、該昇降台が該緩衝復帰ばねを撓めて多少降下してから該アクチュエータに降下作動の行程を行なわせることができ、管部材を昇降台に載せてから昇降台を降下させる作動を簡単な構成で制御できる。
【発明を実施するための最良の形態】
【００１２】  本発明の実施の形態を図面に基づき説明すると、図３において、符号１は機台２に固定された円形の固定台、符号３はエアシリンダーからなるアクチュエータ４により昇降作動する円板状の昇降台を示す。該固定台１は、図４に示したように、昇降台３が出没昇降する円筒孔５と、該円筒孔５内で昇降台３の昇降を案内する案内軸６と、該円筒孔５の周囲にあってリング状目地７を載置する環状の載置面８が設けられており、該案内軸６の中間部には先細となるテーパー部９を設けるようにした。【００１３】  該昇降台３の上面の案内軸６の周囲には、図５に明示したような扇形の４個の円形分割体１０を円周方向へスライド自在に設け、その円形分割体１０の上方は押え板１１で押えるようにした。該円形分割体１０の周面で形成される円の直径は、リング状目地７の内径より多少小さく形成され、該押え板１１の直径は円形分割体１０の直径より多少小さく形成してその周囲に硬質塩ビ製などの管部材１２の管端１３を受ける環状の段部１４を設けた。また、各円形分割体１０の外周面には凹溝１６を設けてそこにコイルばねをリング状に形成した戻しばね１５を収容し、このばね１５により円周方向へスライドした円形分割体１０が案内軸６の方へ押し戻されるようにした。【００１４】  図示の例では、各円形分割体１０と案内軸６との間に、図６に示したような角軸状ピース２４を井桁状に組んで着脱自在に夫々介在させ、昇降台３が降下するとき、案内軸６のテーパー部９によって該角軸状ピース２４が外方へ押されて移動し、これに伴い円形分割体１０が円周方向へ押し出されるようにした。該角軸状ピース２４がテーパー部９と摺接する部分には、そのテーパー部の角度と同じ角度を有する傾斜面２５を形成し、円滑なスライドが行えるようにした。角軸状ピース２４は案内軸６との摺接で部分的に摩耗Ａするが、図５の配置状態で摩耗したとき、図８のように井桁の組み方を変えることで摩耗部Ａを外し、摩耗していない部分Ｂをテーパー部９に摺接させることができ、角軸状ピース２４を交換することなく長時間にわたり使用できる。また、角軸状ピース２４は形状が円形分割体１０よりも単純であるから安価に製作でき、消耗品のコストを小さく抑えることができる。【００１５】  該昇降台３と押え板１１は円形分割体１０を収容する隙間を存してボルト１７により一体化され、該ボルト１７の先端をエアシリンダーのアクチュエータ４に連なる連杆１８と一体の可動板１９に止め付けした。支軸２７を中心としてアクチュエータ４により揺動されるレバー２１が該連杆１８に設けた係合軸２０と係合し、アクチュエータ４が往復動すると連杆１８および昇降台３が昇降作動を行う。該連杆１８の中間部には、機台２に固定したカラー２６に支持された緩衝復帰ばね２２を設け、アクチュエータ４が停止状態にあるとき、該昇降台３が人力などで強制的に多少押し下げられ、これに伴い連杆１８が該緩衝復帰ばね２２を撓めて下動すると、センサー２３の触手が連杆１８に設けたピン２８により動かされる。センサー２３はエアシリンダーのアクチュエータ４に昇降台３を降下させる作動を行なうバルブを切り替えるように指示し、これによりアクチュエータ４が昇降台３を降下させる降下作���を行ったのち上昇させるための復動作動を行う。復動作動でレバー２１が原位置に戻るとき、連杆１８は緩衝復帰ばね２２により押されて上昇し、その結果、昇降台３も原位置へ上昇する。【００１６】  リング状目地７は矩形断面のもので、その多数個を固定台１の側方のホッパー（図示してない）に用意しておき、１個ずつ固定台１の載置面８上へ送り出すようにした。【００１７】  図示の装置の作動を説明する。まず、リング状目地７を昇降台３の載置面８に載せ、人手により管部材１２を持ってその管端１３を押え板１１の環状の段部１４に一致するように載せる。そして、多少力を込めて管部材１２を押し下げると、昇降台３が連杆１８とともに緩衝ばね２２を撓めて降下する。その降下で角軸状ピース２４がテーパー部９により押されて動くようになると、連杆１８のピン２８がセンサー２３に触れ、アクチュエータ４がレバー２１を揺動させ、連杆１８および昇降台３が降下する。この降下で管端１３がリング状目地７の環状内へ誘導され、この降下開始と同時にテーパー部９で押された角軸状ピース２４は、円形分割体１０をその円周方向へスライドさせるので、リング状目地７の内径が管端１３の進入を妨げないように拡げられる。管端１３が完全にリング状目地７の径内に進入したとき、その径内を円形分割体１０が通過するため、リング状目地７の内径はそれ自身の持つ弾力性で縮小して管端１３の周囲に嵌着した状態になる。【００１８】  該昇降台３の降下限度は、段部１４の下面が載置面８と一致した位置であり、この位置に達したとき、アクチュエータ４が復動して連杆１８および昇降台３が緩衝ばね２２により上昇して原位置に復帰する。この上昇に伴いテーパー部９の径が小さくなるので、円形分割体１０は、その周囲に捲回した戻しばね１５の力により角軸状ピース２４とともに円周方向へスライドした位置から案内軸６方向へ押し戻された元の状態に戻り、次の取り付け作業に備えた状態で昇降台３が復帰する。復帰したのち昇降台３から管部材１２を取り外す。リング状目地７は、図１に示したような管端１３に面一に取り付けられ、管部材１２を昇降台３に載せれば、１〜２秒で取り付けを完了することができる。リング状目地７が取り付けられた管部材１２は、図２に示したように、分割金型２９内に管端１３を蓋３０で塞いで収容され、モルタル注入口３１からモルタル３２を注入して管部材１２をモルタルで被覆し、金型２９から取り出して養生することにより管端に目地を備えた耐火性のよい耐火二層管継手が得られ、目地付きであるため配管接続作業における目地の施工作業を省略できて便利である。【００１９】  昇降台３の昇降を繰り返すと、案内軸６と摺接する部材が摩耗し、昇降距離に変化を来たし、管端１３に面一にリング状目地７を取り付け出来なくなる不都合を生るので摩耗した部材の交換を行わなければならないが、本発明のものでは、円形分割体１０と案内軸６の間に角軸状ピース２４が介在されているから、製作費の比較的高価な円形分割体１０が摩耗することがなく、製作容易で安価な角軸状ピース２４を交換するだけで済む。また、この角軸状ピース２４は４本を用意して円形分割体１０と案内軸６の間に井桁状に配置するようにしたので、図５に��した状態で使用して各角軸状ピース２４に摩耗Ａが生じると、図８に見られるように井桁の組み方を変えて新たな部分Ｂが案内軸６に摺接するように配置することでその交換までの期間を延長することができる。
【図面の簡単な説明】
【００２０】
【図１】リング状目地を管部材に取り付けた状態の斜視図
【図２】管部材にモルタルを被覆する状態の断面図
【図３】本発明の実施例を示す一部切断側面図
【図４】図３の要部の拡大断面図
【図５】図４の５−５線部分の平面図
【図６】角軸状ピースの斜視図
【図７】図４の昇降台降下状態の断面図
【図８】角軸状ピースの組み方の変更状態を示す平面図
【符号の説明】
【００２１】  １  固定台、３  昇降台、４  アクチュエータ、５  円筒孔、６  案内軸、７  リング状目地、８  載置面、９  テーパー部、１０  円形分割体、１１  押え板、１２  管部材、１３  管端、１４  段部、１５  戻しばね、１８  連杆、２２  緩衝復帰ばね、２４  角軸状ピース、
【図１】
2008265261.tif 000003
【図２】
2008265261.tif 000004
【図３】
2008265261.tif 000005
【図４】
2008265261.tif 000006
【図５】
2008265261.tif 000007
【図６】
2008265261.tif 000008
【図７】
2008265261.tif 000009
【図８】
2008265261.tif 000010